(57)【特許請求の範囲】
【請求項１】
第１入力端子（ＩＮ１）、第２入力端子（ＩＮ２）、そして接地端子（Ｇ）を含む入力端子部と、
第１出力端子（ＯＵＴ１）、第２出力端子（ＯＵＴ２）を含む出力端子部と、
前記入力端子部と前記出力端子部との間に配置され、前記第１および第２入力端子（ＩＮ１、ＩＮ２）が交流電源用コンセントの相電圧端子（Ｒ）および中性点端子（Ｎ）に連結するにおいて、（ｉ）前記第１入力端子（ＩＮ１）と前記相電圧端子Ｒが互いに連結されると同時に前記第２入力端子（ＩＮ２）と前記中性点端子（Ｎ）が互いに連結されるか、または（ｉｉ）これと反対に、前記第１入力端子（ＩＮ１）と前記中性点端子（Ｎ）が互いに連結されると同時に、前記第２入力端子（ＩＮ２）と前記相電圧端子（Ｒ）が互いに連結されているかに関係なく、常に前記第１出力端子（ＯＵＴ１）が前記中性点端子（Ｎ）と電気的に連結されるようにし、同時に前記第２出力端子（ＯＵＴ２）が前記相電圧端子（Ｒ）と電気的に連結されるようにする端子極性固定部と、
絶縁体からなる本体部と、前記本体部の上面に露出したまま、互いに離隔されて電気的に絶縁されるように配置されており、前記第１出力端子（ＯＵＴ１）および前記第２出力端子（ＯＵＴ２）を負荷に電気的にそれぞれ連結させる第１連結端子（Ｊ１）および第２連結端子（Ｊ２）を含む連結端子台、および
前記相電圧端子（Ｒ）と電気的に連結された前記第２連結端子（Ｊ２）には電気的に連結されていないが、前記中性点端子（Ｎ）と電気的に連結された前記第１連結端子（Ｊ１）には電気的に連結され、前記連結端子台の側方の少なくとも一部、前記連結端子台の上方の少なくとも一部、前記連結端子台の側方および上方のそれぞれの少なくとも一部のうちのいずれか１つを包囲する形態で前記第２連結端子（Ｊ２）の周辺に配置された漏電防止導電体を備えることを特徴とする浸水時の漏電防止装置。
【請求項２】
前記端子極性固定部は、
前記第１入力端子（ＩＮ１）と前記第２入力端子（ＩＮ２）が前記交流電源用コンセントの前記相電圧端子（Ｒ）と前記中性点端子（Ｎ）にそれぞれ連結されている間は、第１制御信号（励起信号）を出力し、前記第１入力端子（ＩＮ１）と前記第２入力端子（ＩＮ２）が交流電源の前記中性点端子（Ｎ）と前記相電圧端子（Ｒ）にそれぞれ連結されている間は、第２制御信号（非励起信号）を出力するスイッチング制御部、および
前記第２制御信号（非励起信号）が入力されると、前記第１出力端子（ＯＵＴ１）と前記第１入力端子（ＩＮ１）を互いに連結されるようにすると同時に、前記第２出力端子（ＯＵＴ２）と前記第２入力端子（ＩＮ２）を互いに連結されるようにする反面、前記第１制御信号（励起信号）が入力されると、前記第１出力端子（ＯＵＴ１）と前記第２入力端子（ＩＮ２）を互いに連結されるようにすると同時に、前記第２出力端子（ＯＵＴ２）と前記第１入力端子（ＩＮ１）を互いに連結されるようにスイッチングするスイッチング部を含むことを特徴とする請求項１に記載の浸水時の漏電防止装置。
【請求項３】
前記スイッチング部は、自分に電流が流れるときは励起状態となり、電流が流れていないときは非励起状態となるリレーコイル、および前記非励起状態においては、前記第１出力端子（ＯＵＴ１）を前記第１入力端子（ＩＮ１）と連結させると同時に前記第２出力端子（ＯＵＴ２）を前記第２入力端子（ＩＮ２）と連結させる反面、前記励起状態においては、前記第１出力端子（ＯＵＴ１）を前記第２入力端子（ＩＮ２）と連結させると同時に、前記第２出力端子（ＯＵＴ２）を前記第１入力端子（ＩＮ１）と連結させるようにスイッチングするリレースイッチング端子を含み、
前記スイッチング制御部は、前記第１入力端子（ＩＮ１）と前記第２入力端子（ＩＮ２）が前記交流電源用コンセントの前記相電圧端子Ｒと前記中性点端子（Ｎ）にそれぞれ連結されている間は、前記リレーコイルに電流を流して前記励起状態を作り、前記第１入力端子（ＩＮ１）と前記第２入力端子（ＩＮ２）が前記中性点端子Ｎと前記相電圧端子（Ｒ）にそれぞれ連結されている間は、前記リレーコイルに電流を流していないため、前記非励起状態を作るリレー制御部を含むことを特徴とする請求項２に記載の浸水時の漏電防止装置。
【請求項４】
前記リレー制御部は、第１入力端子（ＩＮ１）にかかる電圧を接地端子の電圧と比較して、前記第１入力端子（ＩＮ１）にかかる電圧が前記接地端子の電圧より高い間にのみ出力端にロジックハイ電圧が出力され、それ以外の場合は、ロジックロー電圧が出力される電圧比較回路、および前記電圧比較回路の出力端に前記ロジックハイ電圧が出力される場合にのみ導通され、前記リレーコイルに電流を流すスイッチング回路を含むことを特徴とする請求項３に記載の浸水時の漏電防止装置。
【請求項５】
前記端子極性固定部は、前記第１入力端子（ＩＮ１）と前記第２入力端子（ＩＮ２）を介して入力される交流電圧を前記スイッチング制御部の動作に必要な直流電圧に変換するＳＭＰＳ部をさらに含むことを特徴とする請求項２に記載の浸水時の漏電防止装置。
【請求項６】
前記漏電防止導電体は、前記第１連結端子（Ｊ１）から前記本体部を下方に貫通する垂直導体部と、前記垂直導体部の端から水平方向に折曲され、前記本体部の底を横切って前記底の外側に延長された底導体部と、前記底導体部の端から上側に折曲されて前記本体部の側面と対面しながら前記連結端子台の上面より低くない高さまで延長された板状の側面導体部を含むことを特徴とする請求項１に記載の浸水時の漏電防止装置。
【請求項７】
前記底導体部と前記側面導体部は、前記垂直導体部を基準として互いに異なる複数の方向に分かれて延長された複数からなることを特徴とする請求項６に記載の浸水時の漏電防止装置。
【請求項８】
前記側面導体部は、上端の高さが前記連結端子台の高さより、少なくとも５ｍｍさらに高いことを特徴とする請求項６に記載の浸水時の漏電防止装置。
【請求項９】
前記漏電防止導電体は、前記側面導体部の上端から前記連結端子台の上面側に折曲され、前記連結端子台の上面の少なくとも一部を覆う上部導体部をさらに含むことを特徴とする請求項６に記載の浸水時の漏電防止装置。
【請求項１０】
前記入力端子部は、必要時にのみ、前記交流電源用コンセントに差し込んで交流電源の供給を受けるプラグタイプで構成されることを特徴とする請求項１に記載の浸水時の漏電防止装置。
【請求項１１】
前記漏電防止導電体は、（ｉ）前記連結端子台を内部に収納して側面を完全に包囲することができる筒状構造、または（ｉｉ）前記第２連結端子（Ｊ２）を包囲しながら、前記連結端子台を一周する閉環構造からなることを特徴とする請求項１に記載の浸水時の漏電防止装置。
【請求項１２】
前記漏電防止導電体は、前記第１連結端子（Ｊ１）から前記本体部の上側に折曲延長される上部垂直導体部を含むことを特徴とする請求項１に記載の浸水時の漏電防止装置。
【請求項１３】
前記漏電防止導電体は、前記上部垂直導体部の上端から前記連結端子台の上面側に折曲され、前記第２連結端子（Ｊ２）を覆うように延長される上部水平導体部を含むことを特徴とする請求項１２に記載の浸水時の漏電防止装置。
【請求項１４】
前記漏電防止導電体は、電流の流れ方向に対する垂直断面の広さが１０ｍｍ２以上であることを特徴とする請求項１に記載の浸水時の漏電防止装置。
【請求項１５】
前記漏電防止導電体は、前記第２連結端子（Ｊ２）の下方に位置する第１部分、側方に位置する第２部分、上方に位置する第３部分のうちの少なくとも２つの部分を含み、その少なくとも２つの部分のうちの少なくともいずれか１つの部分は、前記第２連結端子（Ｊ２）から１５ｍｍ以内に位置し、残りの部分は、３０ｍｍ以内に位置することを特徴とする請求項１に記載の浸水時の漏電防止装置。
【請求項１６】
前記漏電防止導電体は、前記連結端子台の側方または上方に位置する平板状導電体の部分に複数の貫通孔があいていることを特徴とする請求項１に記載の浸水時の漏電防止装置。
【発明の詳細な説明】
【技術分野】
【０００１】
本発明は、電気装置の露出した端子が浸水した場合、その端子間に流れる漏電電流を低減させて感電を防止しながら、その電気装置の正常な作動を保障する漏電防止装置に関する。
【背景技術】
【０００２】
韓国公開特許公報第１０-２００５-００３７９８６号（以下、「従来技術」という）は、電気機器または電気装置が通電中に浸水した時、裸充電部から流れ出る漏洩電流を吸収して漏電事故または感電事故を防止する浸水漏電防止装置を開示している。その浸水漏電防止装置は、いくつかの実施形態により例示されているが、その実施形態の共通点は、露出した連結端子（単相接続端子Ｐ、中性点端子Ｎ、接地端子Ｅ）が配置された連結端子台（ｔｅｒｍｉｎａｌ  ｂｌｏｃｋ）を含んで遮断器と安定器などのようなほかのデバイスをすべてカバーする程度に広い面積を有する平板型の金属板を中性点端子Ｎまたは接地端子Ｅに電気的に連結したまま、これら連結端子台、遮断器、安定器などの底面の下に配置される形態で設置した構成であるという点である。その従来技術の説明によると、このような構成によって、その連結端子台の露出した連結端子が浸水しても、裸充電部を介して流れ出る電流のほとんどは、その平板型の金属板を介して流れるようになって、人体が水に接触しても人体を介して流れる電流の強さが極めて微弱であるため、感電または漏電事故が防止されることができるという。
【発明の概要】
【発明が解決しようとする課題】
【０００３】
しかし、本発明者が前記従来技術と同一の構成の浸水漏電防止装置を作って実験を試みたところによると、前記従来技術は、いくつかの致命的な弱点があることを発見した。
【０００４】
１つ目は、漏電および感電防止効果を得るためには、漏電防止用金属板が交流電源の中性点端子に連結されなければならないが、これを完全に保障することが問題となる。前記従来技術の説明によると、浸水漏電防止効果を得るためには、平板型の金属板が交流電源の中性点端子Ｎや接地端子Ｅに連結されなければならない。そのための１つの方法は、連結端子台を設置する時、単相交流電源供給線路の２本のうち、電源側の中性点端子に連結された第１供給線路をあらかじめ見つけて、それを平板型の金属板が連結されている連結端子と直結させ、残りの第２供給線路を残りの連結端子に直結させる方法である。しかし、この方法は、電源側の中性点端子に連結された第１供給線路を見つけなければならないという手間がかかり、また、間違って連結すると、所望の漏電および感電防止の効果を得ることができず、負荷に電源供給をする必要がない時にも、負荷は常に電源側に連結されるようにしているため、電力浪費を招くという問題がある。必要なときにのみ負荷を電源側に連結されるようにするためには、電源側と連結端子台との間にプラグとコンセントを配置する方案を考慮することができる。この方案の場合、その平板型の金属板が交流電源側に電気的に連結される経路を見ると、連結端子台の端子→プラグ端子→コンセントを通す。その平板型の金属板が交流電源の中性点端子に連結されるためには、その平板型の金属板が連結された連結端子台の第１連結端子Ｊ１と連結されたプラグ端子が交流電源側の中性点端子に連結されたコンセント端子と連結されることを完全に保障することができなければならない。プラグは、連結端子台の３つの端子とそれぞれ電気的に連結された２つのプラグ端子ＩＮ１、ＩＮ２と１つの接地端子Ｇを有する。２つのプラグ端子ＩＮ１、ＩＮ２は、外観が互いに同一である。交流電源が印加されるコンセントの２つのコンセント端子、すなわち、交流電源の中性点端子と連結された第１コンセント端子Ｎおよび単相電圧端子と連結された第２コンセント端子Ｒも外観が同一である。したがって、使用者がプラグをコンセントに差し込む時、第１プラグ端子ＩＮ１が第１コンセント端子Ｎに必ず連結されるようにするためには、２つのプラグ端子のうちのどれが第１プラグ端子ＩＮ１であるかが分からなければならず、また、同時に２つのコンセント端子のうちのどれが第１コンセント端子Ｎであるかも分からなければならない。このような条件を保障することは実際には非常に困難である。たとえ、プラグとコンセントとの端子の極性を知っている使用者でも、プラグをコンセントに差し込むときに、その点に注意しないと、正しい極性に連結できないミスを犯すこともあり得る。使用者のミスを防止するために、プラグ端子とコンセント端子に極性表示をしておくことが１つの方法となるが、このような点を知らない使用者がプラグをコンセントに差し込む可能性もあり、また、不注意に伴うミス誘発の可能性も考慮するときは、この方法も完全なものにはならない。
【０００５】
また、従来技術は、漏電防止用金属板が「接地端子Ｅ」に連結されても、同じ効果を得ることができるように説明しているが、本発明者が実験を試みたところによると、漏電防止用金属板を「中性点端子Ｎ」ではない接地端子Ｅに連結すると、所望の漏電および感電防止効果を得ることができなかった。
【０００６】
２つ目は、その従来技術で提案された漏電防止用導電性金属板は、その従来技術が主張したような、浸水時の漏電および感電防止機能を提供できないという点である。本発明者が様々なテストによって確認したところによると、その原因が漏電防止用導電性金属板が「平板型」構造である点にあった。本発明者の実験によると、その従来技術が提示した通り、大きな平板型の金属板を連結端子台などの下に配置した構成は、その連結端子台が浸水されてから数秒〜数十秒後に、漏洩電流量が大きくなって漏電遮断器が作動して負荷に対する電源供給が切断され、連結端子台を浸水させた水に手を浸すと、電気感電の衝撃が感じられた。この原因は、その漏電防止用の導電性金属板と単相電圧端子に連結された第２連結端子との間の距離が遠過ぎて、それらの間には、絶縁物質からなる連結端子台の本体が配置されて、それらの間の最短経路を介して電流が流れるのを妨害する点から、それらの間の抵抗値が大きく、それに応じて、その第２連結端子から出る電流量の一部は、その漏電防止用導電性金属板に流れて行くが、残りのかなりの量の電流は、ほかのところに漏洩されるためであると推定される。その従来技術は、その漏電防止用の平板状導体板の大きさを、使用電圧が３８０Ｖであるとき、５０×３０ｃｍで提示したが、本発明者が試みたところによると、これよりはるかに大きいサイズ（例えば、６０×６０ｃｍ）の導体板を使用すると、漏電遮断器が落ちる時間がもう少し長くなる変化は生じるが、結局は漏電遮断器が作動した。導体板のサイズを大きくして解決できる問題ではなかった。実際にも、導体板が設置されることができる空間的な制約などの理由により導体板のサイズを無制限に大きくすることもできないものである。平板状導体板の大きさの問題では根本的に解決できない問題点がある。
【０００７】
このように、前記従来技術は、前記のような問題点のために、主張する漏電および感電防止効果を提供することができなかった。
【０００８】
本発明は、これらの問題点を解決するためのものであって、連結端子に連結される漏電防止用導体の構造的改善により、連結端子台の浸水時の漏電および感電防止と負荷に対する正常な電源供給を完全に保障することができ、負荷に連結された連結端子台と交流電源側との間にプラグとコンセントを配置して、必要なときにだけ負荷を交流電源側に連結することができるようにし、そのプラグをコンセントに差し込んだとき、常にその漏電防止用導体板が交流電源の中性点端子に連結されることを保障することによって、使用者の無知またはミスによる誤動作を根本的に予防することができる浸水時の漏電防止装置を提供することを目的とする。
【課題を解決するための手段】
【０００９】
前記のような目的を達成するための本発明によると、第１入力端子ＩＮ１、第２入力端子ＩＮ２、そして接地端子Ｇを含む入力端子部と、第１出力端子ＯＵＴ１、第２出力端子ＯＵＴ２を含む出力端子部と、前記入力端子部と前記出力端子部との間に配置され、前記第１および第２入力端子ＩＮ１、ＩＮ２が交流電源用コンセントの相電圧端子Ｒおよび中性点端子Ｎに連結するにおいて、（ｉ）前記第１入力端子ＩＮ１と前記相電圧端子Ｒが互いに連結されると同時に前記第２入力端子ＩＮ２と前記中性点端子Ｎが互いに連結されるか、または（ｉｉ）これと反対に、前記第１入力端子ＩＮ１と前記中性点端子Ｎが互いに連結されると同時に、前記第２入力端子ＩＮ２と前記相電圧端子Ｒが互いに連結されているかに関係なく、常に前記第１出力端子ＯＵＴ１が前記中性点端子Ｎと電気的に連結されるようにし、同時に前記第２出力端子ＯＵＴ２が前記相電圧端子Ｒと電気的に連結されるようにする端子極性固定部と、絶縁体からなる本体部と、前記本体部の上面に露出したまま、互いに離隔されて電気的に絶縁されるように配置されており、前記第１出力端子ＯＵＴ１および前記第２出力端子ＯＵＴ２を負荷に電気的にそれぞれ連結させる第１連結端子Ｊ１および第２連結端子Ｊ２を含む連結端子台、および前記相電圧端子Ｒと電気的に連結された前記第２連結端子Ｊ２には電気的に連結されていないが、前記中性点端子Ｎと電気的に連結された前記第１連結端子Ｊ１には電気的に連結され、前記連結端子台の側方の少なくとも一部、前記連結端子台の上方の少なくとも一部、前記連結端子台の側方および上方のそれぞれの少なくとも一部のうちのいずれか１つを包囲する形態で前記第２連結端子Ｊ２の周辺に配置された漏電防止導電体を備え、前記漏電防止導電体によって、前記連結端子台が浸水時に前記第２連結端子Ｊ２から出た電流は水を介して前記漏電防止導電体にほとんど流れて行って、ほかのところには、感電を誘発させる程度以上の電流が流れないようにすることにより、漏電および感電を防止することを特徴とする浸水時の漏電防止装置が提供される。
【００１０】
前記端子極性固定部は、前記第１入力端子ＩＮ１と前記第２入力端子ＩＮ２が前記交流電源用コンセントの前記相電圧端子Ｒと前記中性点端子Ｎにそれぞれ連結されている間は、第１制御信号（励起信号）を出力し、前記第１入力端子ＩＮ１と前記第２入力端子ＩＮ２が交流電源の前記中性点端子Ｎと前記相電圧端子Ｒにそれぞれ連結されている間は、第２制御信号（非励起信号）を出力するスイッチング制御部、および前記第２制御信号（非励起信号）が入力されると、前記第１出力端子ＯＵＴ１と前記第１入力端子ＩＮ１を互いに連結されるようにすると同時に、前記第２出力端子ＯＵＴ２と前記第２入力端子ＩＮ２を互いに連結されるようにする反面、前記第１制御信号（励起信号）が入力されると、前記第１出力端子ＯＵＴ１と前記第２入力端子ＩＮ２を互いに連結されるようにすると同時に、前記第２出力端子ＯＵＴ２と前記第１入力端子ＩＮ１を互いに連結されるようにスイッチングするスイッチング部を含むことができる。前記スイッチング部は、自分に電流が流れるときは励起状態となり、電流が流れていないときは非励起状態となるリレーコイル、および前記非励起状態においては、前記第１出力端子ＯＵＴ１を前記第１入力端子ＩＮ１と連結させると同時に前記第２出力端子ＯＵＴ２を前記第２入力端子ＩＮ２と連結させる反面、前記励起状態においては、前記第１出力端子ＯＵＴ１を前記第２入力端子ＩＮ２と連結させると同時に、前記第２出力端子ＯＵＴ２を前記第１入力端子ＩＮ１と連結させるようにスイッチングするリレースイッチング端子を含むことができる。この場合、前記スイッチング制御部は、前記第１入力端子ＩＮ１と前記第２入力端子ＩＮ２が前記交流電源用コンセントの前記相電圧端子Ｒと前記中性点端子Ｎにそれぞれ連結されている間は、前記リレーコイルに電流を流して前記励起状態を作り、前記第１入力端子ＩＮ１と前記第２入力端子ＩＮ２が前記中性点端子Ｎと前記相電圧端子Ｒにそれぞれ連結されている間は、前記リレーコイルに電流を流していないため、前記非励起状態を作るリレー制御部を含むことができる。
【００１１】
前記端子極性固定部は、前記第１入力端子ＩＮ１と前記第２入力端子ＩＮ２を介して入力される交流電圧を前記スイッチング制御部の動作に必要な直流電圧に変換するＳＭＰＳ部をさらに含むことが望ましい。
【００１２】
前記漏電防止導電体は、一構成例によれば、前記第１連結端子Ｊ１において、前記本体部を下方に貫通する垂直導体部と、前記垂直導体部の端から水平方向に折曲され、前記本体部の底を横切って前記底の外側に延長された底導体部と、前記底導体部の端から上側に折曲されて前記本体部の側面と対面しながら前記連結端子台の上面より低くない高さまで延長された板状の側面導体部を含むことができる。前記の側面導体部は、上端の高さが前記連結端子台の高さより、少なくとも５ｍｍさらに高いものが望ましい。
【００１３】
前記漏電防止導電体は、前記側面導体部の上端から前記連結端子台の上面側に折曲され、前記連結端子台の上面の少なくとも一部を覆う上部導体部をさらに含むこともできる。
【００１４】
前記入力端子部は、必要時にのみ、前記交流電源用コンセントに差し込んで交流電源の供給を受けるプラグタイプで構成されているものが望ましい。
【００１５】
前記漏電防止導電体は、（ｉ）前記連結端子台を内部に収納して側面を完全に包囲することができる筒状構造、または（ｉｉ）前記第２連結端子Ｊ２を包囲しながら、前記連結端子台を一周する閉環構造からなることができる。
【００１６】
また、前記漏電防止導電体は、前記第１連結端子Ｊ１から前記本体部の上側に折曲延長される上部垂直導体部を含む構造であることができる。さらに、前記漏電防止導電体は、前記上部垂直導体部の上端から前記連結端子台の上面側に折曲され、前記第２連結端子Ｊ２の上を覆うように延長される上部水平導体部を含むこともできる。
【００１７】
前記漏電防止導電体は、電流の流れ方向に対する垂直断面の広さが１０ｍｍ２以上であることが望ましい。漏電防止導電体は、四角形の導体板で構成する場合、その導体板の幅は、前記連結端子台の幅より小さくないことが望ましい。
【００１８】
前記漏電防止導電体は、前記第２連結端子Ｊ２の下方に位置する第１部分、側方に位置する第２部分、上方に位置する第３部分のうちの少なくとも２つの部分を含み、その少なくとも２つの部分のうちの少なくともいずれか１つの部分は、前記第２連結端子Ｊ２から１５ｍｍ以内に位置し、残りの部分は、３０ｍｍ以内に位置することが望ましい。
【００１９】
前記漏電防止導電体は、前記連結端子台の側方または上方に位置する平板状導電体の部分に複数の貫通孔があいている形態で構成されることができる。
【発明の効果】
【００２０】
本発明によれば、使用者は、プラグ端子を電源コンセントに差し込む方向に気を使う必要がない。２つの方向のうちどの方向にプラグを差し込んでも、漏電防止導電体は、常に漏電および感電防止効果を得ることができる端子連結が行われる（すなわち、漏電防止導電体が、中性点端子に連結される）。
また、露出した連結端子が水に浸水しても、水を介してその連結端子と漏電防止導電体との間の直線経路にのみ電流が流れ、ほかのところにはほとんど漏れないため、水を介する漏洩電流はほとんどなく、水に人体が触れても感電が発生しない。また、漏洩電流がないため、漏電遮断器が作動せず、負荷には正常な電力供給が行われることができる。すなわち、浸水によって電気装置が誤作動することが生じない。
【図面の簡単な説明】
【００２１】
【図１】本発明に係る漏電防止装置の全体的な構成を示すブロック図である。
【図２】図１の端子極性固定部の電気回路の一例を示す回路図である。
【図３】本発明の一実施形態に係る連結端子台と漏電防止導電体の配置を示す図である。
【図４】図３の切断線Ａ−Ａからみた断面図である。
【図５】本発明の他の実施形態に係る連結端子台と漏電防止導電体の配置を示す図である。
【図６】本発明のまた他の実施形態に係る連結端子台と漏電防止導電体の配置を示す図である。
【図７】本発明のまた他の実施形態に係る連結端子台と漏電防止導電体の配置を示す図である。
【発明を実施するための形態】
【００２２】
以下では、添付した図面を参照し、本発明の実施形態について具体的に説明することにする。
【００２３】
図１に示すように、本発明に係る漏電防止装置１００は、入力端子部２４０、出力端子部２５０、そして、これらの間に配置された端子極性固定部２００、連結端子台３００、そして漏電防止導電体４００を含む。この漏電防止装置１００は、連結端子台３００が水に浸水した場合でも、漏洩電流が外に流れず、連結端子台３００の連結端子と漏電防止導電体４００との間でのみ流れるようにして漏電を防止し、浸水を起こした水に人体が触れても感電が起こらないようにする機能を提供する。
【００２４】
入力端子部２４０は、第１入力端子ＩＮ１、第２入力端子ＩＮ２、そして接地端子Ｇを含む。この入力端子部２４０は、必要時にコンセント９０に差したり抜くことができるプラグ形態で構成することができる。出力端子部２５０は、第１出力端子ＯＵＴ１と第２出力端子ＯＵＴ２を含む。この出力端子部２５０は、電線を介して連結端子台３００の連結端子Ｊ１、Ｊ２と電気的に連結される。
【００２５】
端子極性固定部２００は、入力端子部２４０と出力端子部２５０との間に配置され、第１および第２入力端子ＩＮ１、ＩＮ２が交流電源用コンセント９０の相電圧端子Ｒおよび中性点端子Ｎに連結するにおいて、ＩＮ１−ＲおよびＮＩ２-Ｎにより互いに連結されるか、またはこれとは反対に（すなわち、ＩＮ２−ＲおよびＮＩ１-Ｎ）互いに連結されるかに関係なく、常に第１出力端子ＯＵＴ１がコンセント９０の中性点端子Ｎと電気的に連結されるようにすると同時に第２出力端子ＯＵＴ２がコンセント９０の相電圧端子Ｒと電気的に連結されるようにする。このような機能を提供するために、端子極性固定部２００は、基本的にスイッチング部２１０とスイッチング制御部２２０とを含む。ここで、コンセント９０は、交流電源の相電圧端と中性点端にそれぞれ連結された相電圧端子Ｒと中性点端子Ｎ、そして接地された接地端子Ｇを含む。
【００２６】
スイッチング制御部２２０は、第１入力端子ＩＮ１と第２入力端子ＩＮ２がコンセント９０の相電圧端子Ｒと中性点端子Ｎにそれぞれ連結されている間は、第１制御信号（励起信号）を出力する反面、第１入力端子ＩＮ１と第２入力端子ＩＮ２が交流電源の前記中性点端子Ｎと前記相電圧端子Ｒにそれぞれ連結されている間は、第２制御信号（非励起信号）を出力するように動作する。スイッチング部２１０は、スイッチング制御部２２０から第２制御信号（非励起信号）が入力されると、第１出力端子ＯＵＴ１と第１入力端子ＩＮ１を互いに連結されるようにすると同時に、第２出力端子ＯＵＴ２と第２入力端子ＩＮ２を互いに連結されるようにする。一方、スイッチング制御部２２０から第１制御信号（励起信号）が入力されると、スイッチング部２１０は、第１出力端子ＯＵＴ１と第２入力端子ＩＮ２を互いに連結されるようにすると同時に、第２出力端子ＯＵＴ２と第１入力端子ＩＮ１を互いに連結されるようにスイッチングする。
【００２７】
スイッチング部２１０は、図２に示すように、例えば、リレーＲＹ１で具現することができる。リレーＲＹ１は、自分に電流が流れるときは励起状態となり、電流が流れていないときは非励起状態となるリレーコイル２１２と、非励起状態においては、第１出力端子ＯＵＴ１を第１入力端子ＩＮ１と連結させると同時に、第２出力端子ＯＵＴ２を第２入力端子ＩＮ２と連結させる反面、励起状態においては、第１出力端子ＯＵＴ１を第２入力端子ＩＮ２と連結させると同時に、第２出力端子ＯＵＴ２を第１入力端子ＩＮ１と連結させるようにスイッチングするリレースイッチング端子２１４を含む。この場合、スイッチング制御部２２０は、リレーＲＹ１を制御するリレー制御回路で構成する。すなわち、スイッチング制御部２２０は、第１入力端子ＩＮ１と第２入力端子ＩＮ２が交流電源コンセント９０の相電圧端子Ｒと中性点端子Ｎにそれぞれ連結されている間は、リレーコイル２１２に電流を流して励起状態を作り、第１入力端子ＩＮ１と第２入力端子ＩＮ２が交流電源コンセント９０の中性点端子Ｎと相電圧端子Ｒにそれぞれ連結されている間は、リレーコイル２１２に電流を流さず、非励起状態を作るように構成される。
【００２８】
図２によると、２２０番で表示されたリレー制御回路は、第１入力端子ＩＮ１にかかる電圧を接地端子の電圧と比較して、前記第１入力端子ＩＮ１にかかる電圧が前記接地端子の電圧より高い間にのみ出力端にロジックハイ電圧が出力され、それ以外の場合は、ロジックロー電圧が出力される電圧比較回路Ｄ３、Ｒ５、Ｒ９、Ｃ８、Ｒ６、Ｒ７、ＯＰ-アンプ（Ｕ２Ａ）と、このＯＰ-アンプ（Ｕ２Ａ）の出力端にロジックハイ電圧が出力される場合にのみ導通され、リレーコイルに電流を流すスイッチング回路Ｒ８、Ｑ１、Ｄ４を含む構成を有している。
【００２９】
端子極性固定部２００は、第１入力端子ＩＮ１と第２入力端子ＩＮ２を介して入力される交流電圧をスイッチング制御部２２０の動作に必要な直流電圧に変換するＳＭＰＳ部２３０をさらに含むことができる。このＳＭＰＳ部２３０は、図２に示すように、例えばコンセント９０の相電圧端子Ｒと中性点端子Ｎに連結され、交流電圧の入力を受けて電波整流することにより、直流電圧に変換する整流回路２３２と、この整流回路２３２の出力直流電圧の入力を受け、リレー制御部２２０のＯＰ-アンプ（Ｕ２Ａ）の動作に必要な電圧Ｖｃｃに変換するＳＭＰＳ回路２３４を含む。このＳＭＰＳ回路２３４は、通常の知られているＳＭＰＳ回路をそのまま採用すれば良く、本発明が新しく作ったものではないため、ここでは、それについての詳細な説明は省略することにする。
出力端子ＯＵＴ１、ＯＵＴ２は、連結端子台３００を介して負荷（図示せず）と連結される。連結端子台３００は、絶縁体からなる本体部３１０と、この本体部３１０の上面に露出したまま、互いに離隔されて電気的に絶縁されており、第１出力端子ＯＵＴ１と第２出力端子ＯＵＴ２を負荷（図示せず）に電気的に連結させるための第１連結端子Ｊ１（Ｓ、Ｌ）と第２連結端子Ｊ２（Ｓ、Ｌ）を含む。すなわち、第１連結端子Ｊ１（Ｓ）とＪ１（Ｌ）には、第１出力端子ＯＵＴ１と負荷の第１入力端（図示せず）が電気的に連結され、第２連結端子Ｊ２（Ｓ）とＪ２（Ｌ）には、第２出力端子ＯＵＴ２と負荷の第２入力端（図示せず）が電気的に連結される。
【００３０】
次に、漏電防止導電体４００は、コンセント９０の相電圧端子Ｒ（すなわち、電気エネルギーがかかっている端子）と電気的に連結された第２連結端子Ｊ２には、電気的に連結されていないが、コンセント９０の中性点端子Ｎと電気的に連結された第１連結端子Ｊ１には、電気的に連結される。漏電防止導電体４００は、その一部が連結端子台３００の側方に配置される場合、その高さは、連結端子台３００の上面の高さより低くなってはならない。漏電防止導電体４００の少なくとも一部分が、第２連結端子Ｊ２から見たとき、少なくとも一部分が見えるように第２連結端子Ｊ２の周辺に配置されることが望ましい。このような配置をすることにより、連結端子Ｊ１、Ｊ２が浸水時に相電圧端子Ｒに連結された第２連結端子Ｊ２から流れ出る漏洩電流の大部分は水を介して中性点端子Ｎに連結された第１連結端子Ｊ１に流れていくことになって、第２連結端子Ｊ２と漏電防止導電体４００との間の直線経路を少し外れると、ほとんど漏洩電流が流れず、感電現象が起こらなくなる。また、第２連結端子Ｊ２と漏電防止導電体４００との間の水が適正な抵抗値を提供することによって、第１および第２連結端子Ｊ１、Ｊ２に連結された負荷（図示せず）は、この水（抵抗）と並列連結をなし、その負荷もまた正常な動作を続けることができるようになる。
【００３１】
連結端子Ｊ１、Ｊ２が浸水しても、漏電防止導電体４００を第２連結端子Ｊ２に対し、このように配置してこそ漏洩電流の外部流出を防いで感電を防止し、負荷の正常な動作を保障することができるという点を、前述した従来技術は知ることができなかった。その従来技術は、漏電防止用導電体を「平板型」の導体板で具現したものを提示している。しかし、相電圧端子に連結された連結端子からは、その感知防止用平板状導体板が見えない。それらの間には、絶縁物質からなる連結端子台の本体が配置されて、その間の最短経路を介して電流が流れることを妨害するため、その間の抵抗値を大きくする。この結果、相電圧端子に連結された連結端子から出た電流の一部は、漏電防止用導電体に流れて行くが、かなりの量が平板状導体板でなく、ほかのところに漏れることになる。本発明者が実験を試みるところによると、漏電防止用導電体ではないほかのところに漏洩される電流量は、漏電遮断器が作動するほどに多いため、連結端子が浸水された後、数秒〜数十秒の時間が経過すると、漏電遮断器が作動して負荷に電源供給が切れることになる。当然、その浸水領域の水に手を浸すと、電気衝撃が強く感じられる感電現象も生じる。その従来技術は、その漏電防止用平板状導体板の大きさを、使用電圧が３８０Ｖであるとき５０×３０ｃｍで提示したが、本発明者が試したところによると、これよりはるかに大きいサイズの導体板を使用しても、漏電遮断器の作動を防ぐことができなかった。
【００３２】
本発明者は、このような従来技術の問題点を解決するために、漏電防止用導電体の形状、設置位置、連結端子Ｊ１、Ｊ２に対する配置関係などを多様に変化させながら実際的なテストを行った。テストの結果、前記で言及したように、その従来技術のように漏電防止導電体４００を第２連結端子Ｊ２が設置された連結端子台３００の底面に平行な平板状導体板形態で配置することでは、漏電とそれにともなう感電を防ぐことができなかった。
【００３３】
漏電防止導電体４００は、導電性がよい金属、例えば、銅または銅合金、アルミニウムまたはアルミニウム合金を使用して作ることが望ましい。
【００３４】
漏電防止導電体４００は、連結端子Ｊ１、Ｊ２が上面に配置された連結端子台３００の側方の少なくとも一部を包囲する形態、または連結端子台の上方の少なくとも一部を包囲する形態、または連結端子台３００の側方および上方の少なくとも一部を包囲する形態などのように連結端子Ｊ１、Ｊ２を側方および/または上方で包囲する形態に配置されるとき、満足できるだけの漏電および感電防止効果を得ることができる。漏電防止導電体４００が連結端子台３００の側方の一部のみを包囲する形態に配置される場合、より確実な漏電および感電防止効果を得るためには、交流電源の相電圧端子と電気的に連結された連結端子Ｊ２でその漏電防止導電体４００の少なくとも一部が見えるようにすることが望ましい。漏電および感電防止効果は、漏電防止導電体４００が連結端子Ｊ２を包囲する面積が広いほど、より良く現れる。このような要件を満足させるように、漏電防止導電体４００を具現する方案は、多種多様であり得る。そのうち、代表的な実施形態が図３〜７に例示されている。
【００３５】
まず、図３と４に示した実施形態によると、漏電防止導電体４００が連結端子台３００の一側面と対面するように配置された例である。具体的には、連結端子台３００は、六面体の上面に少なくとも２列以上の溝３２０、３２２が分離壁３２５を間に置いて平行に設けられている絶縁体で作った本体部３１０と、第１溝３２０内に配置されてコンセント９０の中性点端子Ｎと連結された第１連結端子Ｊ１と、第２溝３２２内に配置されてコンセント９０の相電圧端子Ｒと連結された第２連結端子Ｊ２を含む。この第１連結端子Ｊ１は、電源ソース側、すなわち、端子極性固定部２００の出力端子ＯＵＴ１に連結される端子Ｊ１（Ｓ）と負荷側に連結される端子Ｊ１（Ｌ）を含み、第２連結端子Ｊ２も同様に電源ソース側と負荷側にそれぞれ連結される２つの端子Ｊ２（Ｓ）、Ｊ２（Ｌ）を含む。同じ溝内に配置された電源側端子と負荷側端子は、電気的に連結されていることはもちろんである。
【００３６】
漏電防止導電体４００は、図４の断面図に示すように、第１連結端子Ｊ１から本体部３１０を下方に貫通する垂直導体部４１０、この垂直導体部４１０の末端から水平方向に折曲されて本体部３１０の底を横切って外側に延長された底導体部４２０、そして、この底導体部４２０の端から上側に折曲されて第２連結端子Ｊ２が見える高さまで延長されて本体部３１０の側面と対面するように配置された板状の側面導体部４３０を含む。この漏電防止導電体４００は、ボルト４４０を用いて本体部３１０に固定される。側面導体部４３０は、本体部３１０の側面とは離隔されてさえいればよい。ただし、側面導体部４３０の上端高さｈ２は、垂直方向に連結端子台３００の上面高さｈ１より最小限５ｍｍ以上、さらに高いことが望ましい。この程度の高さ差Δｈが保障されるとき、漏電防止導電体４００の漏電および感電防止機能が確実に発揮されることを、多様なテストにより確認することができる。側面導体部４３０の高さは、高いほど漏電および感電防止機能がさらによく発揮されるため、実際の適用においては、設置に許される空間の大きさを考慮して適正な高さにすればよい。
【００３７】
また、側面導体部４３０は、連結端子台３００の側面と接触されず、離隔されてさえいればよいが、過度に遠く離隔されると、側面導体部４３０と第２連結端子Ｊ２との間の抵抗値が過度に大きくなり、第２連結端子Ｊ２から出た電流が全部側面導体部４３０に入力されず、ほかのところに漏洩する量が多くなる。連結端子台３００の側面から側面導体部４３０までの間隔ｄをだんだん増加させながら、漏電の程度を試したところによると、底導体部４１０が第２連結端子Ｊ２から１５ｍｍ以内に位置する条件下で、側面導体部４３０が第２連結端子Ｊ２から３００ｍｍ程度まで離隔されても、その第２連結端子Ｊ２と側面導体部４３０との間の領域でのみ電流が流れるだけで、ほかのところに流れる電流量が僅かなので、前記領域を外れた領域の水の中に手を入れたとき、感電を感じることができず、漏電遮断器（図示せず）も作動しなかった。しかし、側面導体部４３０と第２連結端子Ｊ２との間の隔離距離が３００ｍｍを越えてからは、それらの間の領域以外のほかのところに流れる電流量が増え、前記領域を外れた水の中に手を入れた時に感電が感じられ、漏電遮断器が作動して連結端子Ｊ１、Ｊ２に連結された負荷に対する電力供給が切れた。
【００３８】
これとは異なり、底導体部４２０が第２連結端子Ｊ２から１５ｍｍ以上離隔された場合には、側面導体部４３０の第２連結端子Ｊ２からの隔離距離が大きく制限されることを発見することができ、側面導体部４３０は、第２連結端子Ｊ２から１５ｍｍ以内に離隔されてこそ、漏電および感電を防止することができた。
【００３９】
このような実際のテストにより、分かる点は、漏電防止導電体４００が第２連結端子Ｊ２の下方と側方に位置する部分を含む時に漏電および感電を防止するためには、漏電防止導電体４００の下方の部分（すなわち、底導体部４２０）と側方の部分（すなわち、側面導体部４３０）のうちの少なくともいずれか１つは、第２連結端子Ｊ２から１５ｍｍ以内に位置する必要があるという点である。このような条件を満足する場合、残り１つは、第２連結端子Ｊ２から３００ｍｍまで離隔されることができる。
【００４０】
漏電防止用導電体４００は、予想される漏電電流量を勘案してサイズを定める必要がある。電流の流れ方向に対する垂直断面の幅が予想の漏電電流量に比べて過度に狭いと、過熱されて浸水時に周辺の水が沸く現象が現われる。交流電源が２２０Ｖであり、連結端子台が水道水に浸水した場合、銅で作られた漏電防止用導電体４００は、垂直断面の幅が少なくとも１０ｍｍ２以上であることが望ましい。
【００４１】
図５に示すように、漏電防止導電体４００−１は、垂直導体部４１０、底導体部４２０、側面導体部４３０の外にも、その側面導体部４３０の上端で再び本体部３１０の上面側に折曲されて延長された上部導体部４３５をさらに含むことができる。さらに、またほかの側面導体部４５０と上部導体部４５５をさらに含んで、連結端子Ｊ１、Ｊ２を左右の両側面と上部から包囲する形態で配置することもできる。漏電防止導電体４００−１が連結端子Ｊ２をより広い面積で包囲するため、図３に比べて、さらに確実な漏電防止および感電防止機能を提供する。この漏電防止導電体４００−１も垂直導体部４１０を介して、第１連結端子Ｊ１と電気的に連結されていることはもちろんである。本体部３１０の上部は、連結端子Ｊ１、Ｊ２に対する電線の連結作業のための空間提供のために、図５に示すように、２つの上部導体部４３５、４５５の間を空けておくことが望ましいが、その２つの上部導体部４３５、４５５の幅を若干狭くして作業空間が設けられると、２つの上部導体部４３５、４５５を連結して本体部３１０の上部を全部覆っても構わない。上部導体部４３５、４５５は、連結端子台の上面から少なくとも５ｍｍ以上になるようにすることが望ましい。しかし、上部導体部４３５、４５５と第２連結端子Ｊ２が過度に遠く離隔されると、それらの間の抵抗値が過度に大きくなって、第２連結端子Ｊ２から出た電流が上部導体部４３５、４５５ではないほかのところに漏れる量が多くなって、漏電および感電防止機能が正常に作動できないことがある。
【００４２】
本発明者が試みたところによると、漏電防止導電体４００−１の底導体部４２０と側面導体部４３０のうちの少なくともいずれか１つが第２連結端子Ｊ２から１５ｍｍ以内に位置する場合、上部導体部４３５、４５５と連結端子台の上面との間の間隔が３００ｍｍまでは漏電防止導電体４００−１と第２連結端子２との間の領域でのみ電流が流れ、ほかの領域に漏れる漏洩電流が僅かであるため、そのほかの領域での感電は感じることができない。しかし、前記間隔が３００ｍｍを越えると、前記ほかの領域でも感電を感じることができるほど漏電が発生し、漏電遮断器が動作して負荷に対する電力供給が遮断される。もし、漏電防止導電体４００−１の底導体部４２０と側面導体部４３０の両方とも第２連結端子Ｊ２から１５ｍｍ以上離隔されている場合、漏電および感電が起きないようにするためには、上部導体部４３５、４５５が第２連結端子Ｊ２から１５ｍｍを外れない位置に配置されなければならない。
【００４３】
結局、漏電防止導電体は、第２連結端子Ｊ２の下方に位置する第１部分、側方に位置する第２部分、上方に位置する第３部分のうちの少なくとも２つの部分を含む構成を有するとした時に、その少なくとも２つの部分のうちの少なくともいずれか１つの部分は、第２連結端子Ｊ２に１５ｍｍ以内に位置し、残りの部分は、３０ｍｍ以内に位置した時に、漏電と感電を防止することができる。
【００４４】
漏電防止導電体４００の側面導体部４３０は、必ずしも底導体部４２０に対して直角である必要はない。図６に示す漏電防止導電体４００−２のように、側面導体部４３０−１は、底導体部４２０に対して鈍角または鋭角で折曲されても構わない。ただし、側面導体部４３０−１の最上端は、第２連結端子Ｊ２より低くない高さであることが望ましく、第２連結端子Ｊ２より最小限５ｍｍ以上、より高い位置まで延長されることがさらに望ましい。
【００４５】
連結端子Ｊ１、Ｊ２は、また、図６に示すように連結端子台３００の本体部３１０の溝がない平らな上面に配置されることもできる。
【００４６】
図７は、漏電防止導電体の別の例を示す。漏電防止導電体４００−３は、連結端子台３００の上部に配置された形態である。すなわち、漏電防止導電体４００−３は、連結端子台３００の上面に配置された第１連結端子Ｊ１に電気的に連結されたまま、上側に所定の長さ延長された垂直導体部４６０を含む形態であることができる。さらに、図示されたように、漏電防止導電体４００−３は、この垂直導体部４６０の上端で折曲されて連結端子台３００の上面を覆いながら、少なくとも第２連結端子Ｊ２の近くまで延長された水平導体部４７０をさらに含むこともできる。垂直導体部４６０のみあるものに比べて、水平導体部４７０をさらに含むものが漏電および感電防止機能がさらによいのはもちろんである。この水平導体部４７０は、連結端子台の上面と最小限５ｍｍ以上離隔されるように配置することが望ましい。また、連結端子Ｊ１、Ｊ２に電線連結作業を行うことができるように、連結端子１、２の真上に連結端子用ネジ組立孔４８０が設けられる。
【００４７】
一方、以上の様々な実施形態において、漏電防止導電体４００は、第２連結端子Ｊ２から先立って言及した隔離距離の範囲に位置するだけでよく、その形状は特別な制限はない。第２連結端子Ｊ２の周辺により広い面積の漏電防止導電体４００が配置されるほど、漏洩電流の防止効果はさらに大きくなる。例えば、底導体部４２０と側面導体部４３０は、垂直導体部４１０から伸び出た一本のみとなっている形態であるが、このような単一の一本の形態に限定されるものではなく、側面導体部は、垂直導体部４１０で互いに異なる複数の方向に分かれて延長された複数からなる形態（例えば、十字形態など）で作ることもできる。
【００４８】
また、漏電防止導電体を図５の２つの上部導体部４３５、４５５を連結し、底導体部、側面導体部、そして上部導体部が第２連結端子Ｊ２を包囲しながら、連結端子台を一周する閉環構造で構成することもできる。さらに、漏電防止導電体は、上部のみ開放された円筒状または四角筒状のように筒状にして、連結端子台をその中に収納して側面を完全に包囲できる形態で構成することもできる。
【００４９】
さらに、漏電防止導電体４００、４００−１、４００−２、４００−３は、連結端子台３００の側方または上方に位置する平板状導電体には、複数の貫通孔があいている形態で作ることができる。本発明者は、理由は明らかにすることができなかったが、連結端子を囲むその平板状導電体に貫通孔が形成されていれば、漏洩電流低減効果がより良くなることを発見することができた。
【００５０】
前記のような構成を有する漏電防止装置１００の連結端子Ｊ１、Ｊ２が浸水時の作動がどうなるのかを説明する。
【００５１】
前記で図２を参照して説明したように、端子極性固定部２００の動作によって、入力端子ＩＮ１、ＩＮ２、Ｇが設けられたプラグタイプの入力端子部２４０をコンセント９０にどの方向に差し込むのかに関係なく、常に、交流電源の中性点Ｎ−コンセント９０の中性点端子Ｎ−第１入力端子ＩＮ１−第１出力端子ＯＵＴ１−第１連結端子Ｊ１の連結関係と交流電源の相電位点Ｒ−コンセント９０の相電圧端子Ｒ−第２入力端子ＩＮ２−第２出力端子ＯＵＴ２−第２連結端子Ｊ２の連結関係がなされる。このような端子連結関係下において、負荷に交流電源が供給される間に連結端子Ｊ１、Ｊ２が浸水した場合を仮定する。
【００５２】
純水は、イオンを含んでいないため、優秀な絶縁体であるが、水の中にイオンを提供する不純物の濃度が高くなるほど電流がよりよく流れるようになる。水の電気伝導度は、純水が０．０５５μs/ｃｍ、きれいな水道水が５０μs/ｃｍ、一般飲料水（最大値）は１０５５μs/ｃｍ、海水は５３ｍｓ/ｃｍである。ここで、単位は、電気抵抗の逆数ｍｈｏで示すが、国際的には、Ｓ（Ｓｉｅｍｅｎｓ）単位が通用している。通常的に電気装置が浸水した時、その水は純水ではなく、水道水の水準またはそれよりわずかに多くの不純物（イオン）を含むものと見ることができる。浸水に関与した水がきれいな水道水や一般飲料水程度やそれよりさらに高い電気伝導度を有する場合が一般的なものであるため、このような場合を仮定する。
【００５３】
浸水前の第１連結端子Ｊ１と第２連結端子Ｊ２との間は、絶縁された状態なので、第１連結端子Ｊ１と連結された漏電防止導電体４００と第２連結端子Ｊ２との間にも電流が流れない。しかし、その連結端子Ｊ１、Ｊ２と漏電防止導電体４００が浸水すると、交流電源の相電位点Ｒに連結された第２連結端子２と中性点Ｎ−第１連結端子Ｊ１に連結された漏電防止導電体４００との間の水が電気流れの通路の役割をすることができる。浸水の間に、例えば第２連結端子Ｊ２から電流が流れ出るようになって水を介して流れることになる。漏電防止導電体４００が浸水に関与した水よりはるかに高い電気伝導度を有し、電流は抵抗が低い経路に沿って流れる属性がある。したがって、第２連結端子Ｊ２から流れ出る電流は、ほとんど近くにある漏電防止導電体４００に流れて入っても、ほかのところに漏れる電流量はごく僅かな水準となる。また、第２連結端子Ｊ２を介して出た電流がほかのところにほとんど漏れず、漏電防止導電体４００を介して、再び第１連結端子Ｊ１に帰還する。その結果、第２連結端子Ｊ２で漏電防止導電体４００をつなぐ直線経路領域内に、人体が進入して入る時のみ若干の電気衝撃を感じるだけで、たとえば、浸水に関与した水の中でも、その直線経路領域をわずか少しだけ外れると、感電を全く感じることができない。ほかのところに抜け出る電流量、すなわち、漏洩電流量がごく僅かであるため、漏洩電流遮断器が作動しない。また、このような状態では、第２連結端子Ｊ２と漏電防止導電体４００−第１連結端子Ｊ１との間の水は、抵抗体（負荷）として機能して実際の負荷と並列連結をなし、実際の負荷には、浸水にもかかわらず、浸水前と同様に正常的な電圧が継続して供給され、その負荷は正常的に作動することができることになる。
【００５４】
以上、本発明の望ましい実施形態について詳細に記述したが、本発明が属する技術分野において、通常の知識を有する者であれば、請求の範囲に記載された範囲を逸脱することなく、本発明を多様に変形または設計変更して実施する場合には、本発明の範囲内にあるものとみなす。
【符号の説明】
【００５５】
９０：コンセント
１００：漏電防止装置
２００：端子極性固定部
２１２：リレーコイル
２１４：リレースイッチング端子
２２０：スイッチング制御部（リレー制御回路）
２３０：ＳＭＰＳ部
２３２：整流回路
２３４：ＳＭＰＳ回路
２４０：入力端子部
２５０：出力端子部
３００：連結端子台
３１０：本体部
３２０：溝
４００、４００−１、４００−２、４００−３：漏電防止導電体
４１０：垂直導体部
４２０：底導体部
４３０：側面導体部
４３５、４５５：上部導体部
【図１】
0005959742.tif 000002
【図２】
0005959742.tif 000003
【図３】
0005959742.tif 000004
【図４】
0005959742.tif 000005
【図５】
0005959742.tif 000006
【図６】
0005959742.tif 000007
【図７】
0005959742.tif 000008